(57)【要約】【課題】構造が簡単で設置コストおよび点検・修理のコストを低減することができる室内空気撹拌装置を提供する。【解決手段】風車１３が、空調用のダクト１内の空気の流れにより回転可能に、ダクト１内に設けられている。ファン１５が、室内３に設けられている。回転伝動部材１２が、風車１３の回転とともにファン１５が回転するよう、風車１３とファン１５とを接続している。風量調整装置１６が、ダクト１内を流れる空気の量を調節可能に、ダクト１内に設けられている。【選択図】図１
2006046860.tif 000002
【特許請求の範囲】
【請求項１】
空調用のダクトとともに用いられる室内空気攪拌装置であって、
風車とファンと回転伝動部材とを有し、
前記風車は前記ダクト内の空気の流れにより回転可能に前記ダクト内に設けられ、
前記ファンは前記室内に設けられ、
前記回転伝動部材は前記風車の回転とともに前記ファンが回転するよう前記風車と前記ファンとを接続していることを、
特徴とする室内空気攪拌装置。
【請求項２】
前記ダクト内に、前記ダクト内を流れる空気の量を調節可能な風量調整装置を有することを、特徴とする請求項１記載の室内空気攪拌装置。
【発明の詳細な説明】
【技術分野】
【０００１】
本発明は、室内空気攪拌装置に関する。
【背景技術】
【０００２】
従来の室内空気攪拌装置として、シロッコファンをファンモーターにより回転させて、空気を攪拌するものがある（例えば、特許文献１参照）。
【０００３】
【特許文献１】特開２００３−３２８９８３号公報
【発明の開示】
【発明が解決しようとする課題】
【０００４】
しかしながら、従来の室内空気攪拌装置は、ファンモーターを使用するため、その材料コストとともに電気配線工事のコストを必要とし、設置コストが嵩むという課題があった。また、電気の使用に合わせて、構造が複雑になるため、点検や修理にコストが嵩むという課題もあった。
【０００５】
本発明は、このような課題に着目してなされたもので、構造が簡単で設置コストおよび点検・修理のコストを低減することができる室内空気攪拌装置を提供することを目的としている。
【課題を解決するための手段】
【０００６】
上記目的を達成するために、本発明に係る室内空気攪拌装置は、空調用のダクトとともに用いられる室内空気攪拌装置であって、風車とファンと回転伝動部材とを有し、前記風車は前記ダクト内の空気の流れにより回転可能に前記ダクト内に設けられ、前記ファンは前記室内に設けられ、前記回転伝動部材は前記風車の回転とともに前記ファンが回転するよう前記風車と前記ファンとを接続していることを、特徴とする。
【０００７】
本発明に係る室内空気攪拌装置は、ダクト内の空気の流れにより風車が回転すると、風車とファンとを接続する回転伝動部材を介して、室内のファンが回転する。これにより、空気の温度・湿度むらを減少させ、均一化を図ることができる。このように、電気を使用することなく、ファンを回転して室内の空気を攪拌することができる。このため、ファンモーターの購入や電気配線工事が不要で、設置コストを低減することができる。また、電気部品を使用する必要がないため、構造を簡単にし、点検や修理のコストを低減することができる。
【０００８】
本発明に係る室内空気攪拌装置は、前記ダクト内に、前記ダクト内を流れる空気の量を調節可能な風量調整装置を有することが好ましい。この場合、風量調整装置によりダクト内を流れる空気の量を調節して風車の回転速度を変化させ、それに応じてファンの回転速度を変化させることができる。これにより、室内の風量を変化させることができる。
【発明の効果】
【０００９】
本発明によれば、構造が簡単で設置コストおよび点検・修理のコストを低減することができる室内空気攪拌装置を提供することができる。
【発明を実施するための最良の形態】
【００１０】
以下、図面に基づき、本発明の実施の形態について説明する。
図１および図２は、本発明の実施の形態の室内空気攪拌装置を示している。
図１に示すように、室内空気撹拌装置１０は、空調用のダクト１とともに用いられる。
【００１１】
空調用のダクト１は、天井裏２に設けられ、給気ダクト１ａと還気ダクト１ｂと接続ダクト１ｃとを有している。給気ダクト１ａは空調機（図示せず）から室内３に空気を供給し、還気ダクト１ｂは室内３の空気を空調機に戻すよう設けられている。接続ダクト１ｃは、給気ダクト１ａと還気ダクト１ｂとを接続し、給気ダクト１ａから還気ダクト１ｂへ向かって空気が流れるよう設けられている。接続ダクト１ｃは、天井４に対してほぼ垂直方向に伸びた風車取付区間１ｄを有している。
【００１２】
室内空気撹拌装置１０は、複数のベアリング１１と回転伝動部材１２と風車１３とケーシング１４とファン１５と風量調整装置１６とを有している。
各ベアリング１１は、ラジアルベアリングの深溝玉軸受から成っている。各ベアリング１１は、内輪の中心線が一直線上かつ天井４に対して垂直になるよう、外輪がそれぞれ、接続ダクト１ｃの内壁、接続ダクト１ｃの壁および天井４に固定されている。各ベアリング１１の内輪の中心線は、風車取付区間１ｄの中心線と一致している。
【００１３】
回転伝動部材１２は、１本の棒から成っている。回転伝動部材１２は、各ベアリング１１の内輪を貫通して接続ダクト１ｃの壁および天井４を貫通し、一端１２ａが接続ダクト１ｃの風車取付区間１ｄの内部に、他端１２ｂが室内３に配置されている。回転伝動部材１２は、天井４に対して垂直になっている。回転伝動部材１２は、各ベアリング１１により支持されるとともにスムーズに回転するようになっている。
【００１４】
風車１３は、３枚羽根の羽根車から成り、接続ダクト１ｃの風車取付区間１ｄの内部に設けられている。風車１３は、回転伝動部材１２を回転軸として回転するよう、回転伝動部材１２の一端１２ａに固定されている。風車１３は、接続ダクト１ｃ内の空気の流れにより回転可能である。
ケーシング１４は、室内３の天井４に設けられている。ケーシング１４は、側部に空気吸込口１４ａを有し、下部に空気吹出口１４ｂを有している。
【００１５】
ファン１５は、４枚羽根の羽根車から成り、ケーシング１４の内部の空気吸込口１４ａと空気吹出口１４ｂとの間に設けられている。ファン１５は、回転伝動部材１２を回転軸として回転するよう、回転伝動部材１２の他端１２ｂに固定されている。ファン１５は、回転したときケーシング１４の空気吸込口１４ａから空気を吸い込み、その空気を空気吹出口１４ｂから吹き出すようになっている。ファン１５は、回転伝動部材１２により、風車１３の回転とともに回転するよう構成されている。
【００１６】
風量調整装置１６は、羽根板から成る開閉ダンパー１６ａを有している。開閉ダンパー１６ａは、接続ダクト１ｃ内の風車１３より上流側、すなわち給気ダクト１ａ側に設けられている。開閉ダンパー１６ａは、風車取付区間１ｄの中心線に直交する軸材を中心として回転可能となっている。風量調整装置１６は、手動または電動で開閉ダンパー１６ａを回転させることにより、開閉ダンパー１６ａと接続ダクト１ｃの内壁との隙間を変化させ、接続ダクト１ｃ内を流れる空気の量を調節可能である。
【００１７】
次に、作用について説明する。
室内空気撹拌装置１０は、接続ダクト１ｃ内の空気の流れにより風車１３が回転すると、風車１３とファン１５とを接続する回転伝動部材１２を介して、室内３のファン１５が回転する。これにより、空気の温度・湿度むらを減少させ、均一化を図ることができる。このように、電気を使用することなく、ファン１５を回転させて室内３の空気を攪拌することができる。このため、ファンモーターの購入や電気配線工事が不要で、設置コストを低減することができる。また、電気部品を使用する必要がないため、構造を簡単にし、点検や修理のコストを低減することができる。
【００１８】
風量調整装置１６により接続ダクト１ｃ内を流れる空気の量を調節して風車１３の回転速度を変化させ、それに応じてファン１５の回転速度を変化させることができる。これにより、室内３の風量を変化させることができる。
【００１９】
なお、図２に示すように、室内空気撹拌装置１０で、風車１３が還気ダクト１ｂ内に設けられ、風量調整装置１６が電動で還気ダクト１ｂ内に設けられ、室内３に風量調整装置１６の操作部１７が設けられていてもよい。この場合、室内３の操作部１７を操作して風量調整装置１６を回転させ、風量の変化により風車１３の回転速度を変え、それによって、ファン１５の回転速度を変化させて、室内３の風量を容易に変化させることができる。
【００２０】
また、室内空気撹拌装置１０は、風車１３の回転速度に対しファン１５の回転速度を変化可能であってもよい。一例では、風車１３およびファン１５がそれぞれ異なる軸材に固定され、各軸材は変速装置を介して接続される。変速装置は、歯車装置またはベルト伝動装置などから成り、風車１３の回転速度に対しファン１５の回転速度を段階的または連続的に変化可能に構成される。これにより、変速装置を操作してファン１５の回転速度を変化させ、室内３の風量を容易に変化させることができる。
【図面の簡単な説明】
【００２１】
【図１】本発明の実施の形態の室内空気撹拌装置の使用状態を示す断面図である。
【図２】図１に示す室内空気撹拌装置の変形例の使用状態を示す断面図である。
【符号の説明】
【００２２】
１  ダクト
１ａ  給気ダクト
１ｂ  還気ダクト
１ｃ  接続ダクト
１ｄ  風車取付区間
２  天井裏
３  室内
４  天井
１０  室内空気攪拌装置
１１  ベアリング
１２  回転伝動部材
１３  風車
１４  ケーシング
１４ａ  空気吸込口
１４ｂ  空気吹出口
１５  ファン
１６  風量調整装置
１６ａ  羽根
【図１】
2006046860.tif 000003
【図２】
2006046860.tif 000004